【手続補正書】
【提出日】平成24年11月29日(2012.11.29)
【手続補正１】
【補正対象書類名】特許請求の範囲
【補正対象項目名】全文
【補正方法】変更
【補正の内容】
【特許請求の範囲】
【請求項１】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる他の電子生物を含む）が相手方となっているメッセージ（ここでの『メッセージ』は『鳴き声によるメッセージ』を含む。以下同じ。）」を、予め記録しておくメッセージ記録手段と、
前記記録されたメッセージを発信する電波等発信手段と、
を備えたことを特徴とする、ペット型又は漫画等キャラクタ型ロボット。
【請求項２】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる電子生物を含む）が相手方となっているメッセージ（ここでの『メッセージ』は『鳴き声によるメッセージ』を含む。以下同じ。）」を、予め記録しておくメッセージ記録手段と、
自らが他のペット型又は漫画等キャラクタ型ロボットの内部に生存する他の電子生物に向けて伝達する又は伝達しようとする「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を、前記メッセージ記録手段に記録されている複数のメッセージの中から、ユーザーによる操作もしくは設定による情報その他の情報に基づいて又は自動的に、選択するメッセージ選択手段と、
前記選択された「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項３】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる他の電子生物を含む）が相手方となっているメッセージ（ここでの『メッセージ』は『鳴き声によるメッセージ』を含む。以下同じ。）」を、予め記録しておくメッセージ記録手段と、
前記記録されたメッセージ中の１つ又は複数の「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットの内部に生存する他の電子生物とは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項４】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる電子生物を含む）が相手方となっているメッセージ（ここでの『メッセージ』は『鳴き声によるメッセージ』を含む。以下同じ。）」を、予め記録しておくメッセージ記録手段と、
自らが他のペット型又は漫画等キャラクタ型ロボットの内部に生存する他の電子生物に向けて伝達する又は伝達しようとする「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を、前記メッセージ記録手段に記録されている複数のメッセージの中から、ユーザーによる操作もしくは設定による情報その他の情報に基づいて又は自動的に、選択するメッセージ選択手段と、
前記選択された「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項５】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる他の電子生物を含む）が相手方となっているメッセージ（ここでの『メッセージ』は『鳴き声によるメッセージ』を含む。以下同じ。）」を、予め記録しておくメッセージ記録手段と、
前記記録されたメッセージ中の１つ又は複数の「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットの内部に生存する他の電子生物とは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項６】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる電子生物を含む）が相手方となっているメッセージ（ここでの『メッセージ』は『鳴き声によるメッセージ』を含む。以下同じ。）」を、予め記録しておくメッセージ記録手段と、
自らが他のペット型又は漫画等キャラクタ型ロボットの内部に生存する他の電子生物に向けて伝達する又は伝達しようとする「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を、前記メッセージ記録手段に記録されている複数のメッセージの中から、ユーザーによる操作もしくは設定による情報その他の情報に基づいて又は自動的に、選択するメッセージ選択手段と、
前記選択された「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項７】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる他の電子生物を含む）が相手方となっているメッセージ（ここでの『メッセージ』は『鳴き声によるメッセージ』を含む。以下同じ。）」を、予め記録しておくメッセージ記録手段と、
前記記録されたメッセージ中の１つ又は複数の「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットの内部に生存する他の電子生物とは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項８】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる電子生物を含む）が相手方となっているメッセージ（ここでの『メッセージ』は『鳴き声によるメッセージ』を含む。以下同じ。）」を、予め記録しておくメッセージ記録手段と、
自らが他のペット型又は漫画等キャラクタ型ロボットの内部に生存する他の電子生物に向けて伝達する又は伝達しようとする「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を、前記メッセージ記録手段に記録されている複数のメッセージの中から、ユーザーによる操作もしくは設定による情報その他の情報に基づいて又は自動的に、選択するメッセージ選択手段と、
前記選択された「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項９】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる他の電子生物を含む）が相手方となっているメッセージ（ここでの『メッセージ』は『鳴き声によるメッセージ』を含む。以下同じ。）」を、予め記録しておくメッセージ記録手段と、
前記記録されたメッセージ中の１つ又は複数の「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットの内部に生存する他の電子生物とは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項１０】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる電子生物を含む）が相手方となっているメッセージ（ここでの『メッセージ』は『鳴き声によるメッセージ』を含む。以下同じ。）」を、予め記録しておくメッセージ記録手段と、
自らが他のペット型又は漫画等キャラクタ型ロボットの内部に生存する他の電子生物に向けて伝達する又は伝達しようとする「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を、前記メッセージ記録手段に記録されている複数のメッセージの中から、ユーザーによる操作もしくは設定による情報その他の情報に基づいて又は自動的に、選択するメッセージ選択手段と、
前記選択された「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項１１】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる他の電子生物を含む）が相手方となっているメッセージ（ここでの『メッセージ』は『鳴き声によるメッセージ』を含む。以下同じ。）」を、予め記録しておくメッセージ記録手段と、
前記記録されたメッセージ中の１つ又は複数の「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットの内部に生存する他の電子生物とは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項１２】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる電子生物を含む）が相手方となっているメッセージ（ここでの『メッセージ』は『鳴き声によるメッセージ』を含む。以下同じ。）」を、予め記録しておくメッセージ記録手段と、
自らが他のペット型又は漫画等キャラクタ型ロボットの内部に生存する他の電子生物に向けて伝達する又は伝達しようとする「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を、前記メッセージ記録手段に記録されている複数のメッセージの中から、ユーザーによる操作もしくは設定による情報その他の情報に基づいて又は自動的に、選択するメッセージ選択手段と、
前記選択された「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項１３】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる他の電子生物を含む）が相手方となっているメッセージ（ここでの『メッセージ』は『鳴き声によるメッセージ』を含む。以下同じ。）」を、予め記録しておくメッセージ記録手段と、
前記記録されたメッセージ中の１つ又は複数の「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットの内部に生存する他の電子生物とは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項１４】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる電子生物を含む）が相手方となっているメッセージ（ここでの『メッセージ』は『鳴き声によるメッセージ』を含む。以下同じ。）」を、予め記録しておくメッセージ記録手段と、
自らが他のペット型又は漫画等キャラクタ型ロボットの内部に生存する他の電子生物に向けて伝達する又は伝達しようとする「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を、前記メッセージ記録手段に記録されている複数のメッセージの中から、ユーザーによる操作もしくは設定による情報その他の情報に基づいて又は自動的に、選択するメッセージ選択手段と、
前記選択された「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項１５】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる他の電子生物を含む）が相手方となっているメッセージ（ここでの『メッセージ』は『鳴き声によるメッセージ』を含む。以下同じ。）」を、予め記録しておくメッセージ記録手段と、
前記記録されたメッセージ中の１つ又は複数の「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットの内部に生存する他の電子生物とは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項１６】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる電子生物を含む）が相手方となっているメッセージ（ここでの『メッセージ』は『鳴き声によるメッセージ』を含む。以下同じ。）」を、予め記録しておくメッセージ記録手段と、
自らが他のペット型又は漫画等キャラクタ型ロボットの内部に生存する他の電子生物に向けて伝達する又は伝達しようとする「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を、前記メッセージ記録手段に記録されている複数のメッセージの中から、ユーザーによる操作もしくは設定による情報その他の情報に基づいて又は自動的に、選択するメッセージ選択手段と、
前記選択された「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項１７】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる他の電子生物を含む）が相手方となっているメッセージ（ここでの『メッセージ』は『鳴き声によるメッセージ』を含む。以下同じ。）」を、予め記録しておくメッセージ記録手段と、
前記記録されたメッセージ中の１つ又は複数の「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットの内部に生存する他の電子生物とは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項１８】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる電子生物を含む）が相手方となっているメッセージ（ここでの『メッセージ』は『鳴き声によるメッセージ』を含む。以下同じ。）」を、予め記録しておくメッセージ記録手段と、
自らが他のペット型又は漫画等キャラクタ型ロボットの内部に生存する他の電子生物に向けて伝達する又は伝達しようとする「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を、前記メッセージ記録手段に記録されている複数のメッセージの中から、ユーザーによる操作もしくは設定による情報その他の情報に基づいて又は自動的に、選択するメッセージ選択手段と、
前記選択された「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項１９】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる他の電子生物を含む）が相手方となっているメッセージ（ここでの『メッセージ』は『鳴き声によるメッセージ』を含む。以下同じ。）」を、予め記録しておくメッセージ記録手段と、
前記記録されたメッセージ中の１つ又は複数の「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットの内部に生存する他の電子生物とは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項２０】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる電子生物を含む）が相手方となっているメッセージ（ここでの『メッセージ』は『鳴き声によるメッセージ』を含む。以下同じ。）」を、予め記録しておくメッセージ記録手段と、
自らが他のペット型又は漫画等キャラクタ型ロボットの内部に生存する他の電子生物に向けて伝達する又は伝達しようとする「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を、前記メッセージ記録手段に記録されている複数のメッセージの中から、ユーザーによる操作もしくは設定による情報その他の情報に基づいて又は自動的に、選択するメッセージ選択手段と、
前記選択された「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。